(57)【要約】【課題】ストロボの搭載位置によって、カメラをスイングする方向を指定し、スイングしながらストロボ撮影を行い、ストロボによる被写体の影を軽減することが可能なデジタルカメラを提供すること。【解決手段】画像合成を行うための被写体の撮影位置を認識させるために、1回目のストロボ撮影を行う手段と、スイングしながら撮影を行い、人物がフレームアウトするか否か認識する手段を有し、フレームアウトする直前にストロボ撮影する手段を有し、フレームアウトする直前に撮影した被写体の画像を、１回目の画像で撮影した画像の画角の位置に収め１回目の画像と同じ画角になるように２枚の画像を合成を行うことを特徴とする。【選択図】図１
2016092789.tif 000002
【特許請求の範囲】
【請求項１】
画像合成を行うための被写体の撮影位置を認識させるために１回ストロボ撮影を行う手段（１３８）と、スイングしながら撮影を行い（１３８）、被写体がフレームアウトするか否か認識する手段（１４２）を有し、フレームアウトする直前にストロボ撮影する手段（１３８）を有し、フレームアウトする直前に撮影した被写体の画像を、１回目の画像で撮影した画像の画角の位置に収め、１回目の画像と同じ画角になるように２枚の画像を合成を行うこと（１４２）を特徴とするデジタルカメラ（１００）。
【請求項２】
ストロボの搭載位置により影を軽減するようにスイング撮影する方向を指定する手段（１３８）を有することを特徴とする請求項１に記載のデジタルカメラ（１００）。
【請求項３】
ストロボがカメラの左側に搭載している場合で、影を軽減したい場合、右から左にスイングするように指示を出す手段（１３８）を有することを特徴とする請求項２に記載のデジタルカメラ（１００）。
【請求項４】
ストロボが右側に搭載している場合で、影を軽減したい場合、左から右にスイングするように指示を出す手段（１３８）を有することを特徴とする請求項２に記載のデジタルカメラ（１００）。
【請求項５】
１回目の撮影により、撮影した画像の被写体の輪郭と影の距離を求める手段（１０９）を有し、スイングしながら撮影する際、その求めた距離が画角の横の端からの距離になったか否か判断する手段（１０９）を有し、その距離になった場合にはストロボ撮影する手段（１３８）を有することを特徴とする請求項１乃至請求項４の何れか一項に記載のデジタルカメラ（１００）。
【請求項６】
ストロボがカメラの左側に搭載している場合、画角の右横端からの距離で判断する（１０９）ことを特徴とする請求項５に記載のデジタルカメラ（１００）。
【請求項７】
ストロボがカメラの右側に搭載している場合、画角の左横端からの距離で判断する（１０９）ことを特徴とする請求項５に記載のデジタルカメラ（１００）。
【請求項８】
画像合成時、ストロボが左側に搭載していた場合には、１回目の撮影で撮影した画像の左端から被写体の影までの距離を求め（１０９）、２枚目で撮影した画像の右端から求めた距離の画像を切り取り（１４２）、また、1回目の撮影で撮影した画像の左端から先ほど求めた距離を引いた残りの画像を切り取り（１４２）、この切り取った2枚の画像を合成して１枚の画像とする（１４２）ことを特徴とする請求項１乃至請求項６の何れか一項に記載のデジタルカメラ（１００）。
【請求項９】
画像合成時、ストロボが右側に搭載していた場合には、１回目の撮影で撮影した画像の右側から被写体の影までの距離を求め（１０９）、２枚目で撮影した画像の左端から求めた距離の画像を切り取り（１４２）、また、１回目の撮影で撮影した画像の右端から先ほど求めた距離を費した残りの画像を切り取り（１４２）、この切り取った２枚の画像を合成して１枚の画像とする（１４２）ことを特徴とする請求項１乃至請求項７の何れか一項に記載のデジタルカメラ（１００）。
【請求項１０】
２枚目のストロボ発光は、プリ発光を行わず、１枚目のストロボの本発光と同じ発光量でストロボ発光する（１３８）ことを特徴とする１乃至請求項９の何れか一項に記載のデジタルカメラ（１００）。
【発明の詳細な説明】
【技術分野】
【０００１】
本発明は、ストロボ発光し、静止画撮影するデジタルカメラに関する。
【背景技術】
【０００２】
従来、被写体に向け発光を行い、自動的に適正露出を得るように発光量の調整を行い露出動作を行うストロボ制御カメラシステムが提案されており、ストロボを露光前に予備発光させて本発光時のＴＴＬ調光を補正する方式が特許文献１で知られている。
【先行技術文献】
【特許文献】
【０００３】
【特許文献１】特開平４−３３１９３５号公報
【発明の概要】
【発明が解決しようとする課題】
【０００４】
しかしながら、デジタルカメラの背面から見て左側もしくは右側にストロボを搭載したデジタルカメラで、暗い場所でストロボ静止画撮影を行った場合、被写体（人物）の背後に、一緒に写したい重要な事柄が書かれている壁（スポンサーの名前等）（図5）、もしくは、一緒に写したい重要な被写体（造形物）があった場合、その背後の物体に被写体（人物）の影が映ってしまうという問題があった。
【０００５】
そこで、本発明では、ストロボの搭載位置によって、カメラをスイングする方向を指定し、スイングしながらストロボ撮影を行い、ストロボによる被写体の影を軽減することが可能なデジタルカメラを提供することを目的とする。
【０００６】
ここで、スイングとは、デジタルカメラ１００の表示部１１３にライブビュー画像を表示させ、被写体が左端もしくは右端に入るように画角を決定し、その位置から水平に横に腕を回し、右端もしくは左端に被写体が見えなくなるまで撮影者を中心にして、腕を横に回す動作のことである。
【０００７】
また、ここで、左側にストロボを搭載したデジタルカメラをスイングしながらストロボ撮影した際の被写体の影のでき方に関して、図６を用いて説明する。一番右（c）がスイングを開始する際にストロボ撮影した場合の影のでき方である。真ん中（b）が、スイングが中心にきた際にストロボ撮影した際の影であり、一番左（a）がスイングを終了する際にストロボ撮影した際の影のでき方である。左側にストロボを搭載しているデジタルカメラは、右から左にスイングした場合、一番左にスイングした際にストロボ撮影した場合の一番影が少なくなる。
【０００８】
また、右側にストロボを搭載したデジタルカメラは左に搭載したデジタルカメラの動作と反対の動作になるだけであるので、説明は省略する。
【課題を解決するための手段】
【０００９】
上記の目的を達成するために、本発明のデジタルカメラは、画像合成を行うための被写体の撮影位置を認識させるために１回目のストロボ撮影を行う手段と、スイングしながら撮影を行い、人物がフレームアウトするか否か認識する手段を有し、フレームアウトする直前にストロボ撮影する手段を有し、フレームアウトする直前に撮影した被写体の画像を、1回目の撮影で撮影した画像の画角の位置におさめ、１回目の画像と同じ画角になるように２枚の画像を合成することを特徴とする。
【発明の効果】
【００１０】
本発明のデジタルカメラによれば、ストロボの搭載位置によって、スイングする方向を指定し、スイングしながらストロボ撮影を行うことにより、ストロボによる被写体の影を軽減することが可能になる。
【図面の簡単な説明】
【００１１】
【図１】本発明の実施形態に係るデジタルカメラの構成図
【図２】ストロボの影を軽減する方法に関するフローチャート
【図３】左側にストロボを搭載したデジタルカメラの画像合成方法のフローチャート
【図４】右側にストロボを搭載したデジタルカメラの画像合成方法のフローチャート
【図５】本発明に関する問題点の図
【図６】（ａ）、（ｂ）、（ｃ）は左側にストロボを搭載したデジタルカメラのスイングのストロボ撮影における影のでき方を示した図
【図７】左側にストロボを搭載したデジタルカメラで、画像合成をする場合の画像合成方法に関する説明図
【図８】（ａ）はストロボを左側に搭載したデジタルカメラのスイングする方向を示した図、（ｂ）はストロボを右側に搭載したデジタルカメラのスイングする方向を示した図
【図９】本実施例の実施形態に係る撮影方法に関する説明図
【発明を実施するための形態】
【００１２】
以下に、本発明を実施するための形態について、添付の図面を用いて詳細に説明する。尚、以下に説明する実施の形態は、本発明の実現手段としての一例であり、本発明が適用される装置の構成や各種条件によって適宜修正又は変更されてもよい。また、各実施の形態は適宜組み合わされることも可能である。
【００１３】
［実施例１］
先ず、本発明の第１の実施形態について説明する。図１は本発明の第１の実施形態に係るデジタルカメラの構成を示す図である。図1に関して説明するにあたり必要な図７も用いて説明する。図１において、１０１は被写体像の光を入力する撮像レンズである。１０２は、撮像レンズからの入力された光を調整する絞りである。１０３は、撮像素子１０４へ露光量を制御するためのシャッターである。１０４は、光学像を電気信号に変換する撮像素子である。
【００１４】
撮像レンズ１０１に入射した光線は、絞り１０２、シャッター１０３を介して導き、光学像として撮像素子１０４に結像することが出来る。１０５は、撮像素子１０４の出力を増幅する増幅器である。１０６は、増幅器１０５から出力された信号をＡ／Ｄ変換器１０７の入力許容範囲内にゲインコントロールする自動利得制御（ＡＧＣ）回路である。
【００１５】
１０７はＡＧＣ回路１０６から出力されたアナログデータをデジタルデータに変換するアナログ／デジタル（Ａ／Ｄ）変換器である。１０８はＡ／Ｄ変換器１０７の出力された画像データに対して所定の信号処理を施して、ＲＡＭ１１１に記憶させるとともに、ホワイトバランス検出部１３７、合焦検出部１３５及び露出検出部１３６に対して各々出力する映像信号処理部である。１０９は被写体の認識を行ったり、被写体の影の認識を行ったりする画像認識部である。また、画像の端から被写体の影までの距離の認識も行う。
【００１６】
１１０は適応離散コサイン変換（ＡＤＣＴ）等により画像データを圧縮伸長する圧縮・伸長部であり、ＲＡＭ１１１に格納された画像を読み込んで圧縮処理或いは伸長処理を行い、処理を終えたデータをＲＡＭ１１１に書き込む。１１１は撮影した静止画像や動画像を格納するためのＲＡＭであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みを記憶部に対して行うことが可能となる。
【００１７】
また、撮影された画像データあるいは記録部から呼び出された画像データはシステム制御部１３８の制御下で当該メモリに格納される。このＲＡＭ１１１の一部は本実施形態におけるキャッシュ領域として使用される。さらに、ＲＡＭ１１１はシステム制御部１３８の作業領域としても使用することが可能である。またＲＡＭ１１１は画像合成時の画像データを画像合成する際のワーク領域としても使用される。
【００１８】
１１２はＲＯＭであり、電気的に消去・記録可能な不揮発性メモリでありカメラの電源がOFF状態にあっても、その記憶内容が保持される。特にカメラ動作を制御するプログラムを格納したり、撮影モードや撮影情報および諸々のパラメータを記憶するために用いられる。
【００１９】
１１３はＴＦＴ ＬＣＤ等から成る表示部（Ｖｉｄｅｏコントローラを含む）であり、メニュー、撮影画像データ等を表示する。また、表示部１１３は、システム制御部１３８の指示により任意に表示をＯＮ／ＯＦＦすることが可能であり、表示をＯＦＦにした場合にはデジタルカメラの電力消費を大幅に低減することが出来る。この表示部は撮影した静止画を再生したり、記録した動画を再生したりする。またシステム制御部１３８からの命令を受け、スイング撮影する方向の表示も行う。
【００２０】
１１４は再生スイッチで、撮影した画像/動画をＲＡＭ１１１或いは記録媒体２００から読み出して表示部１１３によって表示する再生動作の開始を指示する。またこの再生スイッチは記録した動画の再生も行い、表示部１１３に動画を表示する。１１５は各種ボタンやタッチパネル等からなる操作部である。また操作部はメニューボタン、ストロボ設定ボタン、露出補正ボタン、各種機能の決定及び実行を設定する決定/実行ボタンなどからなる。
【００２１】
１１６はコネクタ１３１に記録媒体２００が装着されているか否かを検知する記録媒体着脱検知手段である。なお、本実施例では記録媒体を取り付けるインターフェース及びコネクタを１系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。インターフェース及びコネクタとしては、ＰＣＭＣＩＡカード等の規格に準拠したものを用いて構成して構わない。
【００２２】
１１８は撮影モード設定部であり、通常撮影、パノラマ撮影、陰影削減撮影モードなどを設定する。今回の実施例では、陰影削減撮影モードで撮影に設定を行う。この陰影削減撮影モードとは、ストロボの影を削減する撮影モードのことである。１１９はレリーズ釦検出部であり、撮影者のレリーズボタンの操作により、第１ストローク位置まで押し下げられたか、又は、第２ストローク位置まで押し下げられたかを検出する。そしてレリーズ釦検出部１１９、各ストローク位置に対応する第１又は第２検出信号をシステム制御部１３８に対して出力する。
【００２３】
１２０はシャッター制御部であり、露出検出部１３６からの露光情報に基づいて、絞り１０２を制御する絞り制御部２１２と連携しながら、シャッター１０３を制御する。１２１は絞り制御部であり、露出検出部１３６からの露光情報に基づいて、シャッター１０３を制御するシャッター制御部１２０と連携しながら、絞り１０２を制御する。１２２はフォーカス制御部であり、撮影レンズ１０１のフォーカシングを制御する。１２３はズーム制御手段であり、撮影レンズ１０１のズーミングを制御する。
【００２４】
１２４はストロボ制御部であり、露出検出部１３６で検出した露光情報に基づき、システム制御部１３８が、ストロボを発光させるかどうか判定し、ストロボを光らす場合には、ストロボ１２５を制御する。このストロボ制御部は、一回ストロボをプリ発光させ、その露出情報を露出検出部１３６で計算し、システム制御部１３８にその結果を通知する。システム制御部１３８はストロボ制御部１２４に計算結果から求めた発光量で発光するように命令し、ストロボ制御部１２４はストロボ１２５を命令された発光量で発光させる。１２５は、ストロボであり、ストロボ制御部１２４により制御される。
【００２５】
１２６は電源スイッチで、デジタルカメラ１００の電源オン、電源オフの各モードを切り替え設定することが出来る。１２７は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御部１３８の指示に基づいてＤＣ−ＤＣコンバータを制御し、必要な電圧を必要な期間、記録媒体を含む各部へ供給する。１２８、１２９は電源のインターフェースコネクタである。
【００２６】
１３０はアルカリ電池やリチウム電池等の一次電池やＮｉＣｄ電池やＮｉＭＨ電池、Ｌｉ電池等の二次電池、ＡＣアダプター等からなる電源手段である。１３１及び１３２は、メモリカードやハードディスク等の記録媒体と接続を行うコネクタである。２００はメモリカードやハードディスク等の記録媒体である。記録媒体２００は、半導体メモリや磁気ディスク等から構成される記録部１３４、デジタルカメラ１００とのインタフェース１３３、デジタルカメラ１００と接続を行うコネクタ１３２を備えている。また、この記憶媒体は、画像合成で生成された静止画を記録する際にも使用される。
【００２７】
１３５は合焦検出部であり、映像信号処理部１０８から入力した画像データから撮影レンズ１０１の焦点を検出し、その検出結果をシステム制御部１３８に対して出力する。１３６は露出検出部であり、映像信号処理部１０８から入力した画像データから撮像素子１０４における露光量を検出し、その検出結果をシステム制御部１３８に対して出力する。      
【００２８】
１３７はホワイトバランス検出部であり、映像信号処理部１０８から入力した画像データのホワイトバランスの状態を検出し、その検出結果を映像信号処理部１０８に対して出力する。映像信号処理部１０８は、ホワイトバランス検出部１３７から入力した検出結果に基づいて、Ａ／Ｄ変換器１０７から入力した画像データに対してカラーバランスの調整を行う。従って、ＲＡＭ１１１には、カラーバランスの調整が行われた画像データが記憶されることとなる。
【００２９】
１３８はシステム制御部であり、合焦検出部１３５及び露出検出部１３６から入力した各検出結果に基づいて、撮影条件を設定するために、フォーカス制御部１２２、絞り制御部１２１、シャッタ制御部１２０及びストロボ制御部１２４に対して各々制御信号を出力する。１３９は、メモリカードやハードディスク等の記録媒体とのインタフェースである。
【００３０】
１４０はデジタルカメラをパソコンと接続するための通信部である。実際には通信部はＵＳＢからなる。カメラはＲＡＭ１１１やＲＯＭ１１２および記録部１３４に格納された情報を、通信部１４０を介してパソコンに送信、あるいは逆に各種情報を受信するために用いられる。特に撮影データや画像データの送受信を行うために用いられる。またこの通信部はＲＳ２３２ＣやＵＳＢ、ＵＳＢ２、Ｐ１２８４、ＳＣＳＩ、モデム、ＬＡＮ、ＩＥＥＥ１３９４、無線通信等の各種通信手段により構成してもよい。
【００３１】
１４１は通信手段１４０によりデジタルカメラを他の機器と接続するコネクタ或いは無線通信の場合はアンテナである。１４２は、画像合成部であり、画像合成するために画像の切り取りを行い、２枚の切り取った静止画を合成することが可能である。
【００３２】
デジタルカメラ１００の動作を説明する前に、撮影方法に関して図9 を用いて説明する。この説明は左側にストロボを搭載したデジタルカメラに関して説明する。被写体の影を少なくするための撮影の流れは、まず、被写体の画角（被写体の位置）を決めるための、１回目のストロボ撮影を行う。この際、一回ストロボをプリ発光させ、その露出情報を露出検出部１３６で計算し、システム制御部１３８にその結果を通知する。システム制御部１３８はストロボ制御部１２４に計算結果から求めた発光量で発光するように命令し、ストロボ制御部１２４はストロボ１２５を命令された発光量で発光させる。
【００３３】
これで撮影された画像が９０１である。次にデジタルカメラ１００は、表示部１１３にスイングする方向を表示させる（９０２）。次に、表示部１１３に表示されたスイングする方向をみて撮影者は、スイング開始する位置にデジタルカメラ１００を持っていき（左側にストロボを搭載している場合には、被写体が左端にくるように）、撮影を構える。その際に表示部１１３にライブビュー表示された画像を９０３に示す。
【００３４】
次にレリーズ釦検出部１１９を押したまま、その構えた位置から左側にスイングし、右端に被写体がいなくなるまでレリーズ釦を押したままスイングする。そのライブビュー表示された画像を９０５に示す。またスイングしている最中に１回目で撮影したストロボの発光量で２回目のストロボ撮影が行われる。ストロボ撮影した画像を９０４に示す。撮影するタイミングに関しては後ほど詳細を説明する。以上で撮影方法に関して説明したことになる。
【００３５】
次にデジタルカメラ１００の動作に関して図２を用いて詳細を説明する。まず、デジタルカメラ１００を使用するために、電源スイッチ１２６をＯＮする（Ｓ２０１）。次に撮影モード設定部１１８を操作し、夜景で被写体の影を削減したいモード（陰影削減モード）に設定する（Ｓ２０２）。次に被写体の画角を決定するために、１枚目のストロボ撮影を行う（Ｓ２０３）。この際、ストロボを露光前に予備発光させて本発光時のＴＴＬ調光を補正する方式を用いてストロボ撮影を行う。またこの際の本発光時のストロボ発光量をＲＡＭ１１１に記憶（Ｓ２０４）しておき、２回目の被写体の影を減らすためのストロボ撮影時に使用する。
【００３６】
次に１回目でストロボ撮影した画像を画像認識部１０９を用い画像認識し、被写体の影と被写体の輪郭までの最大の距離（横幅）を求める（Ｓ２０５）。次にスイングする方向を指定し、指定方法に関しては後ほど図8を用いて説明する。仮にストロボがデジタルカメラ１００の左側に搭載している場合には、右から左にスイングするように指定し、またストロボがデジタルカメラ１００の右側に搭載している場合には、左から右にスイングするように指定する（Ｓ２０６）。スイングして被写体と横端との残りの距離が、Ｓ２０５で求めた距離と一致したならば（フレームアウトしそうになったならば）（Ｓ２０７）、（仮にストロボが左側に搭載されている場合には、横端は右横端、ストロボが右側に搭載されている場合には、横端は左横端）先ほどＳ２０４で記憶した発光量でストロボ発光し、静止画撮影する（Ｓ２０８）。
【００３７】
最後に１枚目で撮影した画角になるように２枚目の画像と１枚目の画像を画像合成部１４２により、画像合成し、１枚の画像を生成する（Ｓ２０９）。このようにして、被写体の影を軽減したストロボ撮影画像を生成する。最後に画像合成した画像を記録部１３４に保存する（Ｓ２１０）。
【００３８】
また、図８（a）にストロボを左側に搭載した際のスイングする方向を指定する図を示す。ストロボを左側に搭載しているデジタルカメラ１００で、ストロボの影を軽減したい場合には、右から左にスイングするように指定する。このスイングは、被写体が画角の左端に入る位置から、右から左にスイングし、被写体が右端に写らなくなるまでスイングする。さらに図８（b）にストロボを右側に搭載した際のスイングする方向を指定する図を示す。ストロボを右側に搭載しているデジタルカメラ１００で、ストロボの影を軽減したい場合には、左から右にスイングするように指定する。このスイングは、被写体が画角の右端に入る位置から、左から右にスイングし、被写体が左端に写らなくなるまでスイングする。
【００３９】
また次にストロボが左側に搭載されている場合の画像合成（Ｓ２０９）の方法について図３、図７を用いて説明する。ストロボが左側に搭載されている場合には、１回目の撮影（Ｓ２０３）で撮影した画像（７０１）の左端から被写体の影までの距離（７０３）を画像認識部１０９を用いて求め（Ｓ３０１）、ＲＡＭ１１１に記憶する（Ｓ３０２）。２枚目に撮影した画像の右端から、ＲＡＭ１１１に記憶した距離の画像（７０７）を画像合成部１４２を用いて、切り取る（Ｓ３０３）。次に１枚目の撮影した画像を左端からＲＡＭ１１１に記憶した距離を引いた残りの画像（７０５）を切り取る（Ｓ３０４）。最後にＳ３０３とＳ３０４で切り取った画像２枚を画像合成部１４２を用いて、画像合成し、１枚の画像（７０６）を生成する（Ｓ３０５）。
【００４０】
また次にストロボが右側に搭載されている場合の画像合成（Ｓ２０９）の方法について図４を用いて説明する。またストロボが右側に搭載されている場合には、１回目の撮影（Ｓ２０３）で撮影した画像の右端から被写体の影までの距離を画像認識部１０９を用いて求め（Ｓ４０１）、ＲＡＭ１１１に記憶する（Ｓ４０２）。2枚目に撮影した画像の左端から、ＲＡＭ１１１に記憶した距離の画像を画像合成部１４２を用いて、切り取る（Ｓ４０３）。次に１枚目の撮影した画像を右端からＲＡＭ１１１に記憶した距離を引いた残りの画像を切り取る（Ｓ４０４）。最後にＳ４０３とＳ４０４で切り取った画像２枚を画像合成部１４２を用いて、画像合成し、１枚の画像を生成する（Ｓ４０５）。
【００４１】
以上で、ストロボを左側に搭載した場合の画像合成の方法とストロボを右側に搭載した場合の画像合成の方法を説明したことになる。
【００４２】
以上説明したように、ストロボの搭載位置によって、スイングする方向を指定し、スイングしながらストロボ撮影を行うことにより、ストロボの影を軽減することが可能になる。
【符号の説明】
【００４３】
１００  デジタルカメラ、１０９  画像認識部、１１１  ＲＡＭ、
１１８  撮影モード設定部、１１９  レリーズ釦検出部、１２４  ストロボ制御部、
１２５  ストロボ、１２６  電源スイッチ、１３８  システム制御部、
１４２  画像合成部
【図１】
2016092789.tif 000003
【図２】
2016092789.tif 000004
【図３】
2016092789.tif 000005
【図４】
2016092789.tif 000006
【図５】
2016092789.tif 000007
【図６】
2016092789.tif 000008
【図７】
2016092789.tif 000009
【図８】
2016092789.tif 000010
【図９】
2016092789.tif 000011